【手続補正書】
【提出日】平成18年6月23日(2006.6.23)
【手続補正１】
【補正対象書類名】明細書
【補正対象項目名】特許請求の範囲
【補正方法】変更
【補正の内容】
【特許請求の範囲】
【請求項１】
少なくとも１つの第１の偏光素子を有する光照射手段と、
前記光照射手段からの光が照射される試料を載置するステージと、
前記試料からの光を集光する対物レンズと、
前記対物レンズから出射された偏光光束を検光可能にする第２の偏光素子および少なくとも１つの中間レンズを有する前記対物レンズの光軸上に挿脱可能にした検光部と、
前記検光部から出射された試料光を結像し、該結像された試料像を拡大観察する観察鏡筒部とを具備したことを特徴とする偏光顕微鏡。
【請求項２】
少なくとも１つの第１の偏光素子を有する光照射手段と、
前記光照射手段からの光が照射される試料を載置するとともに、光軸に略垂直な平面方向に調整可能に設けられたステージと、
前記試料からの光を集光する対物レンズと、
前記対物レンズを光軸と垂直な平面方向に移動可能に支持し、前記対物レンズの心調整を可能とした対物レンズ心調整手段と、
前記対物レンズから出射された偏光光束を検光可能にする少なくとも第２の偏光素子および少なくとも１つの中間レンズを有する前記対物レンズの光軸上に挿脱可能にした検光部と、
前記検光部から出射された試料光を結像し、該結像された試料像を拡大観察する観察鏡筒部とを具備したことを特徴とする偏光顕微鏡。
【請求項３】
前記光照射手段はコンデンサレンズを有し、該コンデンサレンズは、前記第１の偏光素子を前記対物レンズの光軸を中心に回動可能に支持することを特徴とする請求項１または２記載の偏光顕微鏡。
【請求項４】
前記検光部は、前記対物レンズと前記結像レンズとの間に中間鏡筒として着脱可能に配置されることを特徴とする請求項１または２記載の偏光顕微鏡。
【請求項５】
前記検光部は、前記第２の偏光素子を回動可能に支持するとともに、前記第２の偏光素子および前記第２の偏光素子に対し所定の距離に離間して平行配置される空穴を有するスライダーを光軸に対して挿脱可能に支持することを特徴とする請求項１または２記載の偏光顕微鏡。
【請求項６】
前記スライダーの挿脱方向の操作と前記第２の偏光素子の回転操作は、前記スライダーに設けられた１つのスライダ操作手段により可能にしたことを特徴とする請求項５記載の偏光顕微鏡。
【請求項７】
前記スライダーは、光軸と垂直な平面上で回転可能に設けられる回転板に支持され、且つ前記回転板には、該回転板の回転とともに回転され、前記第２の偏光素子の回転角度を表示するリング状部材が設けられることを特徴とする請求項５又は６記載の偏光顕微鏡。
【請求項８】
前記検光部は、前記第２の偏光素子の上部に第３の偏光素子を備えたことを特徴とする請求項５又は６記載の偏光顕微鏡。
【請求項９】
前記第３の偏光素子は、デポラライザであることを特徴とする請求項８記載の偏光顕微鏡。
【請求項１０】
前記検光部は、前記中間レンズを光軸方向に移動可能に支持するとともに、前記中間レンズおよび前記中間レンズに対し所定の距離に離間して平行配置される空穴を有したターレットを有することを特徴とする請求項１または２記載の偏光顕微鏡。
【請求項１１】
前記中間レンズは、２群のレンズから構成されるベルトランレンズであることを特徴とする請求項１または２記載の偏光顕微鏡。
【請求項１２】
前記光照射手段は、コンデンサレンズと前記試料に集光照射する照明の開口数を調整する開口絞りとを内蔵し、該コンデンサレンズの心調整のために光軸に直交する平面内で位置調整が可能なコンデンサユニットと、前記試料に集光照射する照明の範囲を調整する視野絞りとをさらに設けたことを特徴とする請求項１又は２記載の偏光顕微鏡。
【請求項１３】
偏光顕微鏡に適用される調整方法であって、
前記対物レンズによるコノスコープ観察の状態で、コノスコープ像が前記観察鏡筒部での観察視野中心に位置するよう前記対物レンズ心調整手段により前記対物レンズの心調整を行う第１の工程と、
前記第１の工程で調整された前記対物レンズによるオルソスコープ観察の状態で、前記回転ステージの回転中心と、前記観察鏡筒部での観察視野中心とが一致するよう前記回転ステージを移動調整する第２の工程と、
前記心調整された対物レンズによるオルソスコープ観察から、異なる対物レンズによるオルソスコープ観察に切換えて、前記回転ステージの回転中心と前記異なる対物レンズによる前記観察鏡筒部での観察視野中心が一致するように前記対物レンズ心調整手段により前記異なる対物レンズの心調整を行う第３の工程と
を具備したことを特徴とする偏光顕微鏡の調整方法。
【請求項１４】
偏光顕微鏡に適用される調整方法であって、
前記対物レンズによるコノスコープ観察の状態で、コノスコープ像が前記観察鏡筒部での観察視野中心に位置するよう前記対物レンズ心調整手段により前記対物レンズの心調整を行う第１の工程と、
前記第１の工程で調整された前記対物レンズによるオルソスコープ観察の状態で、前記回転ステージの回転中心と、前記観察鏡筒部での観察視野中心とが一致するよう前記回転ステージを移動調整する第２の工程と、
前記心調整された対物レンズによるオルソスコープ観察から、異なる対物レンズによるオルソスコープ観察に切換えて、前記回転ステージの回転中心と前記異なる対物レンズによる前記観察鏡筒部での観察視野中心が一致するように前記対物レンズ心調整手段により前記異なる対物レンズの心調整を行う第３の工程と、前記第１の工程で調整された対物レンズによるコノスコープ観察の状態で、前記開口絞り像の中心がコノスコープ像の中心にほぼ一致するよう前記コンデンサレンズユニットの位置調整を行うか、または前記第３の工程で調整された異なる対物レンズによるオルソコープ観察の状態で、前記視野絞り像の中心がオルソコープ像の中心にほぼ一致するよう前記コンデンサレンズユニットの位置調整を行う第４の工程と
を具備したことを特徴とする偏光顕微鏡の調整方法。
【手続補正２】
【補正対象書類名】明細書
【補正対象項目名】００２１
【補正方法】削除
【補正の内容】
【手続補正３】
【補正対象書類名】明細書
【補正対象項目名】００２２
【補正方法】削除
【補正の内容】
【手続補正４】
【補正対象書類名】明細書
【補正対象項目名】００２７
【補正方法】削除
【補正の内容】
【手続補正５】
【補正対象書類名】明細書
【補正対象項目名】００３１
【補正方法】削除
【補正の内容】
【手続補正６】
【補正対象書類名】明細書
【補正対象項目名】００３２
【補正方法】削除
【補正の内容】
【手続補正７】
【補正対象書類名】明細書
【補正対象項目名】００３３
【補正方法】削除
【補正の内容】
【手続補正８】
【補正対象書類名】明細書
【補正対象項目名】００３５
【補正方法】削除
【補正の内容】
【手続補正９】
【補正対象書類名】明細書
【補正対象項目名】００３６
【補正方法】削除
【補正の内容】
【手続補正１０】
【補正対象書類名】明細書
【補正対象項目名】００３７
【補正方法】削除
【補正の内容】
【手続補正１１】
【補正対象書類名】明細書
【補正対象項目名】００３８
【補正方法】削除
【補正の内容】
【手続補正１２】
【補正対象書類名】明細書
【補正対象項目名】００３９
【補正方法】削除
【補正の内容】
【手続補正１３】
【補正対象書類名】明細書
【補正対象項目名】００４０
【補正方法】削除
【補正の内容】
【手続補正１４】
【補正対象書類名】明細書
【補正対象項目名】００４１
【補正方法】削除
【補正の内容】
【手続補正１５】
【補正対象書類名】明細書
【補正対象項目名】００４２
【補正方法】削除
【補正の内容】